(57)【要約】      （修正有）【課題】酒類の提供を受ける際に、使用者の手または、コップなど使用者の口に触れるものが、装置自体に接触する必要のない酒類の提供装置を提供する。【解決手段】酒類が充填された容器を収納することが可能な収納部２と、収納部に収納された容器３の内部に一端が侵入するように配置された管状部材４、５、７と、管状部材の他端が接続されるとともに管状部材の他端から流出する酒類を外部に吐出するノズル８と、管状部材の一端と他端の間に配置されたポンプ６と、ノズルの上方に配置された非接触スイッチ１０と、を備える。【選択図】図１
0003232065.tif 000002
【実用新案登録請求の範囲】
【請求項１】
酒類が充填された容器を収納することが可能な収納部と、
前記収納部に収納された容器の内部に一端が侵入するように配置された管状部材と、
前記管状部材の他端が接続されるとともに該管状部材の他端から流出する酒類を外部に吐出するノズルと、
前記管状部材の一端と他端の間に配置されたポンプと、
前記ノズルの上方に配置された非接触スイッチと、
を備えたことを特徴とする、酒類の提供装置。
【請求項２】
前記非接触スイッチは、
光を出射する出射ユニットと、
前記出射ユニットから出射する光を受光する受光ユニットと、
前記ノズルの上方に設けられた凹部であって、前記出射ユニットと前記受光ユニットを、間に前記光を遮断する遮断物を挿入可能な距離を確保しつつ対向させて固定した凹部と、
を有することを特徴とする、請求項１に記載の酒類の提供装置。
【請求項３】
前記管状部材と、前記ノズルと、前記ポンプと、前記非接触スイッチとを各々複数備え、
複数の前記ノズルは水平方向に並べて配置され、
複数の前記非接触スイッチは、各々の前記ノズルの上方における、前記ノズルに対応した位置に配置されたことを特徴とする、請求項１または２に記載の酒類の提供装置。
【請求項４】
前記非接触スイッチの近傍には、対応するノズルから吐出される酒類の銘柄を表示する表示部をさらに備えたことを特徴とする、請求項３に記載の酒類の提供装置。
【考案の詳細な説明】
【技術分野】
【０００１】
本考案は酒類を吐出することができる酒類の提供装置に関するものである。
【背景技術】
【０００２】
酒類を提供する装置としては、例えば、複数種類の飲料が充填された複数本の容器が上下反転されて回転手段に取り付けられ、試飲のための試飲用の器を移動させて開閉手段を試飲用の器自体で押圧することで、試飲用の器に対象の飲料を注入するものが知られている（例えば、特許文献１を参照。）。
【０００３】
また、酒類が充填された複数の容器ｂと、試飲用の器ｃに酒類を注入する一つのノズル１６とが容器ｂと同数のチューブ１３によって連通されており、各チューブ１３の途中には容器ｃ内の酒類をノズル１６に送液するチューブポンプ１０が備えられている。そして、試飲者により酒類に拘わらない規定額の金額が投入され、酒類が選択された場合に、チューブポンプ１０が、選択された酒類に応じた回数だけ回転することで、選択された酒類を規定額の金額に応じた量だけ吐出する試飲装置も知られている（例えば、特許文献２を参照）。
【０００４】
しかしながら、これらの装置においては、酒類の提供を受ける場合に、コップで弁口を押し上げる、銘柄が記載されたボタンを手で押す等、ユーザの手指あるいは、ユーザの口に運ぶコップ等が装置と接触する作業が必要であり、完全に衛生的であるとは言えなかった。
【先行技術文献】
【特許文献】
【０００５】
【特許文献１】特開２０１２−２５２６８８号公報
【特許文献２】特開２０１６−１６４７６１号公報
【考案の概要】
【考案が解決しようとする課題】
【０００６】
本考案は上記の従来技術の問題点に鑑みて案出されたものであり、酒類の提供を受ける際に、使用者の手または、コップなど使用者の口に触れるものが、装置自体に接触する必要のない酒類の提供装置を提供することを目的とする。
【課題を解決するための手段】
【０００７】
本考案は、上記の課題を解決するために考案されたものであり、酒類が充填された容器を収納することが可能な収納部と、
前記収納部に収納された容器の内部に一端が侵入するように配置された管状部材と、
前記管状部材の他端が接続されるとともに該管状部材の他端から流出する酒類を外部に吐出するノズルと、
前記管状部材の一端と他端の間に配置されたポンプと、
前記ノズルの上方に配置された非接触スイッチと、
を備えたことを特徴とする。
【０００８】
すなわち、本考案においては、酒類が吐出されるノズルの上方に、酒類を提供するための非接触スイッチを配置することとした。これによれば、ユーザは、手でスイッチを押圧したり、コップで開閉手段を押圧する等、装置自体と直接的または間接的に接触する必要がない。これにより、より衛生的に、酒類の提供を受けることが可能である。
【０００９】
また、本考案においては、非接触スイッチを酒類が吐出されるノズルの上方に配置したので、例えば非接触スイッチに手を近づけたりする場合に、ノズルからの酒類の吐出を妨害することを抑制できる。
【００１０】
また、本考案においては、前記非接触スイッチは、光を出射する出射ユニットと、
前記出射ユニットから出射する光を受光する受光ユニットと、
前記ノズルの上方に設けられた凹部であって、前記出射ユニットと前記受光ユニットを、間に前記光を遮断する遮断物を挿入可能な距離を確保しつつ対向させて固定した凹部と、
を有するようにしてもよい。
【００１１】
この場合には、出射ユニットから受光ユニットに出射される、レーザ光等の光をユーザが手で遮断することで、酒類の提供を開始することが可能である。また、出射ユニットと受光ユニットを、間に光を遮断する遮断物を挿入可能な距離を確保しつつ対向させて固定した凹部を設けているので、ユーザは凹部の中に手を侵入させる等の簡単な動作で、酒類の提供を開始することができる。さらに、出射ユニットと受光ユニットが凹部の内部に配置されているので、遮断物が誤って出射ユニットと受光ユニットの間に挿入され、誤って酒類の提供が開始されることを抑制できる。
【００１２】
また、本考案においては、前記管状部材と、前記ノズルと、前記ポンプと、前記非接触スイッチとを各々複数備え、
複数の前記ノズルは水平方向に並べて配置され、
複数の前記非接触スイッチは、各々の前記ノズルの上方における、前記ノズルに対応した位置に配置されてもよい。
【００１３】
これによれば、例えば、複数の銘柄の酒類について、対応する非接触スイッチが並べて配置されており、所望の銘柄の酒類に対応する非接触スイッチに手を近づける等の簡単な作業で、適切な酒類の提供を受けることが可能である。
【００１４】
また、本考案においては、前記非接触スイッチの近傍には、対応するノズルから吐出される酒類の銘柄を表示する表示部をさらに備えたるようにしてもよい。これによれば、より正確に、より容易に、適切な酒類の提供を受けることが可能である。
【００１５】
なお、上記した本考案の課題を解決する手段については、可能なかぎり組み合わせて用いることができる。
【考案の効果】
【００１６】
本考案にあっては、酒類の提供を受ける際に、使用者の手または、コップなど使用者の口に触れるものが、装置自体に接触する必要がなく、衛生的に酒類の提供を受けることが可能である。
【図面の簡単な説明】
【００１７】
【図１】本考案の実施例１における提供装置の概略構成を示す図である。
【図２】本考案の実施例２における提供装置の概略構成を示す図である。
【考案を実施するための形態】
【００１８】
以下、本考案に係る酒類の提供装置について、図面を参照して詳細に説明する。
【００１９】
〔実施例１〕
図１には、実施例１に係る酒類の提供装置１（以下、単に提供装置１ともいう。）の概略構成について示す。図１（ａ）は、提供装置１が酒類を提供していない状態を示す。図１（ｂ）は、提供装置１が種類を提供している状態を示す。提供装置１の下部には提供用の酒類が充填された酒瓶３が収納される収納部２が備えられている。この収納部２は、酒瓶３が設置可能な空間を有している。収納部２内には、酒瓶３を収納するためのラックやケースが設けられていてもよいし、ラックやケースは省略して、酒瓶３が収納される空間が確保されているだけでもよい。その場合には、収納部２の底部に直接酒瓶３を並べる構成となる。
【００２０】
提供装置１の正面において収納部２に相当する部分は開き扉になっており、開き扉を回動させることにより開扉が可能となっている。この開き扉は、例えば図中向かって右端の部分を中心に外側に開扉可能になっている。そして、この開き扉を開閉することで、酒瓶３を交換したり、内部の清掃・メンテナンスをしたりすることが可能になる。収納部２は開閉可能な扉部が設けられていればよく、回動タイプの開き扉に限定されないことは当然である。
【００２１】
収納部２においては、上方から酒瓶３内の内部に挿入される第１チューブ４と、第１チューブ４の上端とポンプ６（後述）を接続する第２チューブ５が、上方から吊下されている。この第１チューブ４は酒瓶３内に挿入し易いようにある程度高い硬度を有する管状の部材であってもよい。第２チューブ５は、第１チューブ４と酒瓶３の位置の自由度を確保するために可撓性を有する管状の部材であってもよい。
【００２２】
収納部２の上方には、酒瓶３内の酒類を吸い上げてノズル８（後述）まで送液するためのポンプ６が配置されている。このポンプ６への流入口には第２チューブ５が接続されており、流出口にはノズル８に接続される第３チューブ７が接続されている。本実施例におけるポンプ６は、モータの出力軸に接続されたロータが回転した際に、ロータの円周上に設けられたローラで、第２チューブ５と第３チューブ７とを連結する内部チューブ（不図示）をしごく構成を有するチューブポンプであってもよい。
【００２３】
しかしながら、ポンプ６の方式については特に限定されない。なお、本考案において、第１チューブ４、第２チューブ５、内部チューブ、第３チューブ７は、管状部材を構成する。この管状部材は、可撓性を有する一本のチューブで構成されても構わないし、適宜分割されていても構わない。また、本実施例においては、ポンプ６への駆動指令の送付と電力供給は、提供装置１の内部に配置された制御盤１ａによって行われる。
【００２４】
ノズル８は、提供装置１の正面上方に取り付けられており、上端は提供装置１の内部に配置され、下端は提供装置１の外部で下向きとなるように配置されている。ノズル８の下端には酒類が吐出される吐出孔８ａが設けられており、ノズル８の上端には、提供装置１の内部において第３チューブ７が接続されている。そして、ポンプ６が作動して、酒瓶３内の種類が各チューブ内を送液されてノズル８に到達し、吐出孔８ａから吐出されることで、ノズル下に準備された容器に酒類を注入することが可能になっている。ノズル８の下には、酒類の提供を受ける容器を載置する載置台（不図示）が設けられていても良い。
【００２５】
提供装置１におけるノズル８のさらに上方には、非接触スイッチ１０が設けられている。この非接触スイッチ１０は、図１（ａ）において、図中奥側の面、左右側面及び底面に壁を有する直方体状の凹部９ｃを有しており、この凹部９ｃは前面と天面が解放された状態となっている。
【００２６】
非接触スイッチ１０の左右側面には、非接触センサが設けられている。本実施例では、向かって右側の右側側面にレーザ光の出射ユニット９ａが設置され、向かって左側の左側
面には受光ユニット９ｂが対向するように設置されている。出射ユニット９ａからはレーザ光が左側側面に向けて略平行に出射される。出射ユニット９ａから出射されたレーザ光は、受光ユニット９ｂで受光される。受光ユニット９ｂでは、受光したレーザ光の光強度が電気信号に変換され制御盤１ａに出力される。
【００２７】
そして、図１（ｂ）に示すように、この非接触スイッチ１０において、出射ユニット９ａから出射されたレーザ光が遮断され、受光ユニット９ｂにおいて検知される光強度が所定の閾値を下回った場合には、ポンプ６が作動するようになっている。なお、出射ユニット９ａと受光ユニット９ｂとは、その間に、ユーザの手などの遮断物１０ａが挿入されるのに十分な距離を有するように、凹部の左右側面に固定されている。
【００２８】
次に、図１を用いて、酒類の提供の際の提供装置１の作動について説明する。例えば、提供装置１を用いて酒類を試飲する場合には、ユーザの手や紙等の遮断物１０ａによって非接触スイッチ１０におけるレーザ光を遮る。そうすると、制御盤１ａからの指令に基づいて、ポンプ６のロータが回転し、酒瓶３から酒類を吸い出しつつ、第１チューブ４、第２チューブ５、第３チューブ７を経由して酒類をノズル８に向けて送液する。そして、ノズル８からは酒類が吐出される。
【００２９】
この酒類の提供時間については、出射ユニット９ａから出射されたレーザ光が例えば、遮断物１０ａによって遮られ、受光ユニット９ｂにおいて検知される光強度が閾値を下回っている期間中は、ポンプ６が継続的に作動してノズル８から酒類が吐出され続ける構成であっても良い。あるいは、例えば、出射ユニット９ａから出射されたレーザ光が、遮断物１０ａによって遮られ、受光ユニット９ｂにおいて検知される光強度が閾値を下回っってから所定期間だけポンプ６が作動して、ノズル８からの酒類の吐出が所定時間だけ継続して自動停止するようにしてもよい。
【００３０】
また、本考案においては、供給された酒類を受ける器を載置する載置台（不図示）が設けられている場合には、酒類の提供時に器における水面高さをセンサで測定し、酒類の提供時間に応じて水面高さが上昇し、充分な量の酒類が提供されたことが確認された場合に、酒類の吐出を停止するようにしてもよい。これらの制御は、制御盤１ａにおけるプログラムの作動に基づいて行われる。
【００３１】
なお、上記の実施例においては、収納部２には冷蔵機能は備えていなかったが、酒類として糖分が多く熱量が高い日本酒を想定した場合には、カビなどの発生防止のために、冷蔵機能を備えるようにすることが望ましい。また、上記の実施例における動作が有料の場合には、コイン投入部（不図示）を設けておき、ユーザが所定の料金をコイン投入部に投入することで、制御可能とされてもよい。ここでは、コイン投入部を使用する代わりに電子マネーなどの電子的なデータを用いても構わない。また、本考案における収納部２には、装置外から収納された酒瓶３を視認可能なような透光性の窓部を設けても良い。そうすれば、装置外からユーザが酒類の酒瓶及び銘柄を視認することができ、また、実際に酒類が個別の酒瓶から吸い上げられる様子を観察できる。このことにより、試飲者に酒類の品質に対する安心感を与えることが可能となり、エンターテイメント性も向上させることが可能となる。なお、本実施例において、凹部は、奥側の面、左右側面及び底面に壁を有する直方体状の凹部であって、前面と天面が解放されているとしたが、凹部はこの形状に限定されないことは当然である。前後、左右、上下のいずれの面が解放されていてもよいし、直方体状でなくてもよい。左右側面に壁を有するのみの形態でも構わない。
【００３２】
〔実施例２〕
次に、本考案における実施例２について説明する。実施例２では、酒の類提供装置において、非接触スイッチ、チューブ類、ポンプ、ノズルが複数個設けられた例について説明
する。図２には、本実施例に係る酒類の提供装置１１（以下、単に提供装置１１ともいう。）の概略構成について示す。図２（ａ）は、提供装置１１が酒類を提供していない状態を示す。図２（ｂ）は、提供装置１１が種類を提供している状態を示す。
【００３３】
図２（ａ）に示すように、本実施例の提供装置１１は、酒瓶３、第１チューブ４、第２チューブ５、ポンプ６、第３チューブ７、ノズル９は、複数設けられており、非接触スイッチ２０及び、非接触スイッチ２０における出射ユニット１９ａ、受光ユニット１９ｂ、凹部１９ｃも、これらと同数設けられている。
【００３４】
本実施例においては、異なる銘柄の複数種類の酒瓶３を収納部２に収納しておく。そして、ユーザが酒類の提供を受ける際には、所望の銘柄に対応する非接触スイッチ２０におけるレーザ光を遮断する。そうすると、所望の銘柄の酒類が充填された酒瓶３に対応するポンプ６が作動し、所望の酒類がノズル８から提供される。その際の提供時間の制御等については実施例１と同様である。なお、本実施例では、非接触スイッチ２０の下部に、各非接触スイッチ２０に対応する酒類の銘柄を表示する表示部２１を設けてもよい。
【００３５】
なお、上記の実施例における酒類の提供装置１における酒類の提供とは、酒類の試飲、購入の他、酒類または酒類を用いた食品の製造工程における酒類の供給をも含む。また、上記の実施例においては、非接触スイッチ１０、２０は、レーザ光を出射ユニット９ａ、１９ａから出射し、受光ユニット９ｂ、１９ｂで受光して光電変換するものとして説明したが、非接触スイッチはこの方式に限定されない。例えば、出射ユニットは光源と光センサを兼ね備え、受光ユニットは反射板から構成されてもよい。また、非接触スイッチは、レーザ光を遮断することによりスイッチのＯＮ／ＯＦＦを切り替える方式でなくてもよい。例えば、遮断物によるレーザ光の反射光強度を検知するようにしてもよいし、感温センサや静電センサで人の手の温度を検知するようにしても構わない。
【符号の説明】
【００３６】
１・・・提供装置
２・・・収納部
３・・・容器
４・・・第１チューブ
５・・・第２チューブ
６・・・ポンプ
７・・・第３チューブ
８・・・ノズル
９ａ・・・出射ユニット
９ｂ・・・受光ユニット
１０・・・凹部
【図１】
0003232065.tif 000003
【図２】
0003232065.tif 000004